【手続補正書】
【提出日】平成20年5月1日(2008.5.1)
【手続補正１】
【補正対象書類名】明細書
【補正対象項目名】００１６
【補正方法】変更
【補正の内容】
【００１６】
テレビジョン受像機２は、所定の放送キャリアの放送を受信可能なチューナを備えて、このチューナにより受信復調して得られたビデオコンテンツとして、ビデオ信号と、このビデオ信号に再生時間が同期したオーディオ信号を、それぞれ画像表示、音声により出力する。また、ネットワーク通信網３を経由して送信されてくるビデオコンテンツのデータを受信取得して、同様に、画像表示及び音声により再生することが可能とされている。
【手続補正２】
【補正対象書類名】明細書
【補正対象項目名】００２９
【補正方法】変更
【補正の内容】
【００２９】
そして、上記図３（ａ）と図３（ｂ）との対応関係の下での動画圧縮符号化処理としての符号化手順は、例えば図３（ｃ）に示されるものとなる。
先ず、Ｉピクチャ（Ｉ１）についてはフレーム画像Ｆ１のみを符号化して得られる画像であるから、最も速い符号化タイミングとしては、図示するようにして、フレーム画像Ｆ１の次のフレーム期間（フレーム画像Ｆ２の期間）に対応してＩピクチャ（Ｉ１）が得られることになる。
次の動画圧縮符号化の手順としては、フレーム画像Ｆ２〜Ｆ４に対応した符号化処理によりＢピクチャ（Ｂ１）、Ｂピクチャ（Ｂ２）、Ｐピクチャ（Ｐ１）の符号化画像を生成することになるのであるが、これらの画像のうち、Ｂピクチャ（Ｂ１）、Ｂピクチャ（Ｂ２）については、それぞれ、前方のＩピクチャ（Ｉ１）と後方のＰピクチャ（Ｐ１）とを参照して符号化が行われる画像となる。このために、Ｉピクチャ（Ｉ１）に続く符号化対象は、Ｐピクチャ（Ｐ１）となる。このＰピクチャ（Ｐ１）は、フレーム画像Ｆ４に対応するので、Ｐピクチャ（Ｐ１）は、最も速いタイミングでも、フレーム画像Ｆ４の次のフレーム期間であるフレーム画像Ｆ５のフレーム期間において生成されることになる。なお、Ｐピクチャ（Ｐ１）は、Ｉピクチャ（Ｉ１）を利用した順方向予測符号化により生成する。そして、このようにしてＰピクチャ（Ｐ１）が生成されたことではじめて、このＰピクチャ（Ｐ１）とＩピクチャ（Ｉ１）とを利用した双方向予測符号化により、Ｂピクチャ（Ｂ１）及びＢピクチャ（Ｂ２）が生成されることになる。従って、Ｂピクチャ（Ｂ１）及びＢピクチャ（Ｂ２）が得られる最も速いタイミングとしても、Ｐピクチャ（Ｐ１）同様に、フレーム画像Ｆ５のフレーム期間となる。
続いては、Ｂピクチャ（Ｂ３）、Ｂピクチャ（Ｂ４）、Ｐピクチャ（Ｐ２）の符号化処理を行うことになる。Ｐピクチャ（Ｐ２）は、Ｐピクチャ（Ｐ１）を利用して順方向予測符号化により生成し、Ｂピクチャ（Ｂ３）及びＢピクチャ（Ｂ４）は、Ｐピクチャ（Ｐ１）とＰピクチャ（Ｐ２）を利用した双方向予測符号化により生成することになる。従って、これらＢピクチャ（Ｂ３）、Ｂピクチャ（Ｂ４）、Ｐピクチャ（Ｐ２）の画像が得られるタイミングとしては、Ｂピクチャ（Ｂ１）、Ｂピクチャ（Ｂ２）、Ｐピクチャ（Ｐ１）の各符号化画像が得られたフレーム期間から３フレーム後となるフレーム画像Ｆ８に対応するフレーム期間となる。
このような手順により符号化処理が実行されていくことで、Iピクチャ、Pピクチャ、Bピクチャの各符号化画像が上記図３（ｃ）に示すタイミングにより得られていくことになる。
【手続補正３】
【補正対象書類名】明細書
【補正対象項目名】００３５
【補正方法】変更
【補正の内容】
【００３５】
この場合においても、図２の場合と同様に、伝送諸元となる信号としては、ＧＵＩ画像に対応するベースバンド形式の原グラフィックス信号と、ビデオコンテンツに対応するベースバンド形式の原ビデオ信号及び原オーディオ信号が在るようにされる。そのうえで、本実施の形態にあっては、先の図２の例では原ビデオ信号と原グラフィックス信号を合成した合成ビデオ信号に対して施していた動画圧縮符号化処理を、原ビデオ信号のみを対象として施すようにされる。そして、この動画圧縮符号化処理により得られた圧縮ビデオ信号と、原オーディオ信号について音声圧縮符号化を施して得られる圧縮オーディオ信号とについて時分割多重による多重化処理を施すようにされる。このようにして多重化により得られたデータは、ビデオコンテンツを形成するビデオ信号とオーディオ信号のみから成るものとされ、図２の場合のようにして、ＧＵＩ画像などとしてのグラフィックス信号は含まれてはいない。そして、このようにして得られたデータを伝送用データとして、ネットワーク通信網３を経由させてテレビジョン受像機２に対して送信するようにされる。
【手続補正４】
【補正対象書類名】明細書
【補正対象項目名】００５０
【補正方法】変更
【補正の内容】
【００５０】
デマルチプレクサ１５には、復調部１３から出力された受信復調信号、即ち、テレビジョン放送をリアルタイム的に受信して得られるビデオコンテンツのデータ、又は、上記のようにしてビデオ記憶部１４により読み出されたビデオコンテンツ（コンテンツファイル）のデータが入力される。これまでの説明から理解されるように、両者のビデオコンテンツのデータは、何れも、そのビデオコンテンツを形成するビデオ信号（圧縮符号化形式）とオーディオ信号（圧縮符号化形式）が多重化されており、さらに、データ放送コンテンツデータも多重化されている可能性がある。
【手続補正５】
【補正対象書類名】明細書
【補正対象項目名】００６６
【補正方法】変更
【補正の内容】
【００６６】
一方、デマルチプレクサ３４により分離抽出して得られたオーディオ信号は、オーディオ復号処理部３９に出力され、ここで復号（伸長）処理が施されることでベースバンド形式のオーディオ信号に変換されることになる。そして、このベースバンド形式のオーディオ信号を音声出力部４０に対して出力するようにされる。
音声出力部４０は、例えば入力したオーディオ信号について、音質調整その他の信号処理を施したうえで増幅を行い、この増幅された信号によりスピーカなどを駆動して音声出力を行う部位とされる。
これまでの説明から理解されるようにして、テレビジョン受像機２としては、先ず、テレビジョン放送を受信選局し、これにより得られたビデオ信号・オーディオ信号を、画像・音声としてユーザが視聴可能なようにして出力するようにされている。
【手続補正６】
【補正対象書類名】明細書
【補正対象項目名】００６７
【補正方法】変更
【補正の内容】
【００６７】
また、制御部４３は、例えばＣＰＵ、ＲＡＭ、ＲＯＭなどを実装したマイクロコンピュータを備えて成るものとされ、テレビジョン受像機２全体における制御処理を実行する。
また、操作部４４は、例えばテレビジョン受像機２の本体に設けられる各種の操作子と、これらの操作子に対して行われた操作に応じた操作信号を発生して制御部４３(ＣＰＵ)に出力する操作信号出力部とを一括して示したものとされる。また、テレビジョン受像機２が、リモートコントローラによって操作を行えるように構成されている場合には、このリモートコントローラと、本体側においてリモートコントローラから送信された操作コード信号を受信し、操作信号として制御部４３に出力する受信部なども、操作部４４に含められることになる。
【手続補正７】
【補正対象書類名】明細書
【補正対象項目名】００７３
【補正方法】変更
【補正の内容】
【００７３】
なお、上記図６と図７に示したビデオ装置１、テレビジョン受像機２の構成は、信号処理の流れに従った機能ブロックを主に示しており、実際のハードウェア構成としては、必ずしもこれらの図に対応した構成を採るものではない。また、これらの図に示す機能ブロック構成としても他に考えられるものであり、図示する内容に限定されない。
一例として、例えば図６におけるビデオ装置１(画像情報送信装置)の構成では、チューナ部１２により受信取得した映像音声の情報、及びビデオ記憶部１４から読み出したコンテンツファイルについて、ビデオ復号処理部１６及びオーディオ復号処理部１７により圧縮符号化などに対する復号処理を行ったうえで、さらに、ネットワーク伝送のために、ビデオ符号化処理部１９及びオーディオ符号化処理部２０により圧縮符号化を施している。しかしながら、例えば、チューナ部１２により受信取得する映像音声の情報の圧縮符号化方式が、テレビジョン受像機２での復号方式と対応しているような場合には、ビデオ装置１について、チューナ部１２により受信取得した映像音声の情報を、内部での復号化→符号化の処理を経ることなく、そのままの形式によりネットワーク経由で送出させるように構成することも可能である。